(57)【要約】【課題】乳幼児の実際の睡眠状態に応じた的確な育児アドバイスを育児者に提供する。【解決手段】所定期間内において乳幼児が睡眠を開始した時刻と前記睡眠から覚醒した時刻とを含む睡眠データの入力を受け付ける睡眠データ受け付け処理と、受け付けた前記睡眠データに基づいて、前記乳幼児の睡眠の発達の程度を示す睡眠スコアを算出する睡眠スコア算出処理と、乳幼児の育児に関する育児アドバイスが複数種類記憶された育児アドバイスデータベースを参照して、前記睡眠スコアに対応した前記育児アドバイスを表示する育児アドバイス表示処理と、をコンピューターに実行させることを特徴とするプログラム。【選択図】図３
2019010417.tif 000002
【特許請求の範囲】
【請求項１】
所定期間内において乳幼児が睡眠を開始した時刻と前記睡眠から覚醒した時刻とを含む睡眠データの入力を受け付ける睡眠データ受け付け処理と、
受け付けた前記睡眠データに基づいて、前記乳幼児の睡眠の発達の程度を示す睡眠スコアを算出する睡眠スコア算出処理と、
乳幼児の育児に関する育児アドバイスが複数種類記憶された育児アドバイスデータベースを参照して、前記睡眠スコアに対応した前記育児アドバイスを表示する育児アドバイス表示処理と、
をコンピューターに実行させることを特徴とするプログラム。
【請求項２】
請求項１に記載のプログラムであって、
複数の前記育児アドバイスは、前記睡眠スコアの大きさに応じて複数段階に区分された状態で前記育児アドバイスデータベースに記憶されている、ことを特徴とするプログラム。
【請求項３】
請求項１または２に記載のプログラムであって、
前記育児アドバイスは、環境、睡眠、食事、排泄、運動、遊びに関する育児アドバイスのうち、少なくともいずれかを含んでいる、ことを特徴とするプログラム。
【請求項４】
請求項１〜３のいずれか１項に記載のプログラムであって、
入力を受け付けた前記睡眠データを、前記コンピューターの表示部に、グラフとして視覚的に表示させる、ことを特徴とするプログラム。
【請求項５】
請求項４に記載のプログラムであって、
前記コンピューターの表示部に、前記育児アドバイスと前記グラフと同時に表示させる、ことを特徴とするプログラム。
【請求項６】
請求項１〜５のいずれか１項に記載のプログラムであって、
前記睡眠スコアの大きさに応じて前記育児アドバイスデータベースから選択された或る育児アドバイスを、前記乳幼児の月齢または発達段階に基づいて、前記或る育児アドバイスとは異なる育児アドバイスに変更する育児アドバイス変更処理を、前記コンピューターに実行させる、ことを特徴とするプログラム。
【請求項７】
請求項６に記載のプログラムであって、
前記育児アドバイスデータベースには、
複数の前記育児アドバイスは、前記睡眠スコアの大きさに応じて複数段階に区分されており、
各段階にはそれぞれ基準月齢が対応付けられて記憶されており、
育児アドバイス変更処理において、
前記睡眠スコアの大きさに応じて前記育児アドバイスデータベースから選択された或る育児アドバイスの区分に対応付けられた前記基準月齢が、前記乳幼児の実際の月齢と所定の大きさ以上異なる場合、
前記育児アドバイスデータベースのうち、前記乳幼児の実際の月齢に近い前記基準月齢が対応付けられている区分から、前記育児アドバイスを再選択する、ことを特徴とするプログラム。
【請求項８】
請求項７に記載のプログラムであって、
前記育児アドバイスデータベースにおいて、
複数段階に区分された前記育児アドバイスは、前記基準月齢の大きさに応じてさらに複数段階に区分されている、ことを特徴とするプログラム。
【請求項９】
請求項１〜８のいずれか１項に記載のプログラムであって、
前記育児アドバイスは、外遊びに関する育児アドバイスを含み、
前記外遊びに関する育児アドバイスは、前記睡眠スコアが所定値以上の場合にのみ表示される、ことを特徴とするプログラム。
【請求項１０】
請求項１〜９のいずれか１項に記載のプログラムであって、
前記育児アドバイスは、排泄に関する育児アドバイスを含み、
前記排泄に関する育児アドバイスと共に、前記排泄に関する育児アドバイスと関連するおむつの情報が表示される、ことを特徴とするプログラム。
【請求項１１】
所定期間内において乳幼児が睡眠を開始した時刻と前記睡眠から覚醒した時刻とを含む睡眠データの入力を受け付ける睡眠データ受け付け工程と、
受け付けた前記睡眠データに基づいて、前記乳幼児の睡眠の発達の程度を示す睡眠スコアを算出する睡眠スコア算出工程と、
乳幼児の育児に関する育児アドバイスが複数種類記憶された育児アドバイスデータベースを参照して、前記睡眠スコアに対応した前記育児アドバイスを表示する育児アドバイス表示工程と、
を有する、育児支援方法。
【発明の詳細な説明】
【技術分野】
【０００１】
本発明は、プログラム、育児支援方法に関する。
【背景技術】
【０００２】
乳幼児は、言葉によるコミュニケーションが不十分であるため、育児に不慣れな者にとっては、乳幼児の状態を知ることが難しい。特に、乳幼児は睡眠が不規則になりやすく、寝ぐずりや夜泣きを少なくするためにはどのようにすれば良いのか判断することが難しい。そこで、乳幼児の年齢（月齢）に応じて睡眠の質を評価することで、育児をする者が乳幼児の状態について把握できるようにする手段が提案されている。例えば特許文献１には、乳幼児の睡眠段階が動睡眠、静睡眠、不定睡眠のいずれに属するかを判定し、乳幼児の年齢に応じた標準値と比較することで、乳幼児の睡眠の質を判定する技術が開示されている。
【先行技術文献】
【特許文献】
【０００３】
【特許文献１】特開２０１１−１９８７９号公報
【発明の概要】
【発明が解決しようとする課題】
【０００４】
しかしながら、乳幼児の睡眠は、必ずしも年齢（月齢）と対応するものではなく、特許文献１に記載されている乳幼児の年齢に応じた標準値と実際の乳幼児の睡眠状態との間には齟齬が生じている場合がある。このような場合、乳幼児の睡眠についての正確な状態を把握することは難しく、育児者（例えば、育児経験が少ない新米ママ）はどのように育児を行えば良いのか迷ってしまうおそれがある。
【０００５】
本発明は、上記のような問題に鑑みてなされたものであって、その目的とするところは、乳幼児の実際の睡眠状態に応じた的確な育児アドバイスを育児者に提供する、ことにある。
【課題を解決するための手段】
【０００６】
上記目的を達成するための主たる発明は、
所定期間内において乳幼児が睡眠を開始した時刻と前記睡眠から覚醒した時刻とを含む睡眠データの入力を受け付ける睡眠データ受け付け処理と、受け付けた前記睡眠データに基づいて、前記乳幼児の睡眠の発達の程度を示す睡眠スコアを算出する睡眠スコア算出処理と、乳幼児の育児に関する育児アドバイスが複数種類記憶された育児アドバイスデータベースを参照して、前記睡眠スコアに対応した前記育児アドバイスを表示する育児アドバイス表示処理と、をコンピューターに実行させることを特徴とするプログラムである。
本発明の他の特徴については、本明細書及び添付図面の記載により明らかにする。
【発明の効果】
【０００７】
本発明によれば、乳幼児の実際の睡眠状態に応じた的確な育児アドバイスを育児者に提供することができる。
【図面の簡単な説明】
【０００８】
【図１】本実施形態にかかる育児支援システム１を説明する図である。
【図２】端末１０の機能上の構成を示すブロック図である。
【図３】本実施形態にかかる育児支援（アドバイス）動作の処理手順を示すフロー図である。
【図４】睡眠データ入力画面３１０の一例を表す図である。
【図５】睡眠データをグラフ化した睡眠データ表示画面３２０の一例を表す図である。
【図６】本実施形態の育児アドバイス表示処理（Ｓ１０４）において行われる各種処理について説明するフロー図である。
【図７】育児アドバイスデータベース１２１のデータ構造例を示す図である。
【図８】端末１０の表示部１４に表示された育児アドバイス表示画面３３０の一例を表す図である。
【図９】育児アドバイス表示処理（Ｓ１０４）の変形例において行われる各種処理について説明するフロー図である。
【発明を実施するための形態】
【０００９】
本明細書及び添付図面の記載により、少なくとも以下の事項が明らかとなる。
所定期間内において乳幼児が睡眠を開始した時刻と前記睡眠から覚醒した時刻とを含む睡眠データの入力を受け付ける睡眠データ受け付け処理と、受け付けた前記睡眠データに基づいて、前記乳幼児の睡眠の発達の程度を示す睡眠スコアを算出する睡眠スコア算出処理と、乳幼児の育児に関する育児アドバイスが複数種類記憶された育児アドバイスデータベースを参照して、前記睡眠スコアに対応した前記育児アドバイスを表示する育児アドバイス表示処理と、をコンピューターに実行させることを特徴とするプログラム。
【００１０】
このようなプログラムによれば、乳幼児の実際の睡眠パターンに応じて算出された睡眠スコアに基づいて、育児者に対して育児アドバイスが提供される。したがって、従来の、月齢に基づいて設定された画一的な育児アドバイスと比較して、個々の乳幼児の睡眠の発達段階に応じて、的確な育児アドバイスを提供することができる。
【００１１】
かかるプログラムであって、複数の前記育児アドバイスは、前記睡眠スコアの大きさに応じて複数段階に区分された状態で前記育児アドバイスデータベースに記憶されている、ことが望ましい。
【００１２】
このようなプログラムによれば、睡眠スコアの大きさに応じて複数の育児アドバイスが区分された育児アドバイスデータベースを用いることにより、乳幼児の睡眠の発達の段階に応じた育児アドバイスを過不足無く提供することができる。また、睡眠スコアによる区分を細かくすれば、乳幼児の個々の睡眠発達の程度に応じて最適な育児アドバイスを提供しやすくなる。
【００１３】
かかるプログラムであって、前記育児アドバイスは、環境、睡眠、食事、排泄、運動、遊びに関する育児アドバイスのうち、少なくともいずれかを含んでいる、ことが望ましい。
【００１４】
このようなプログラムによれば、種々の切り口で育児アドバイスを受けることができるため、育児経験の少ない育児者であっても安心して育児を行うことができるようになる。
【００１５】
かかるプログラムであって、入力を受け付けた前記睡眠データを、前記コンピューターの表示部に、グラフとして視覚的に表示させる、ことが望ましい。
【００１６】
このようなプログラムによれば、乳幼児が１日のうちどの時間帯にどれだけ睡眠しているかについて、育児者が視覚的に確認することができるようになる。したがって、育児者は、乳幼児の睡眠の発達の度合いを客観的に把握しやすくなる。
【００１７】
かかるプログラムであって、前記コンピューターの表示部に、前記育児アドバイスと前記グラフと同時に表示させる、ことが望ましい。
【００１８】
このようなプログラムによれば、育児者は、育児アドバイスと共に睡眠データのグラフを視認することにより、育児アドバイスの内容をより理解しやすくなる。例えば、一日のうちどの時間帯に乳幼児を散歩させれば良いのかということや、乳幼児の睡眠パターンがどの程度昼夜逆転しているのか等について、視覚的に認識しやすくなる。
【００１９】
かかるプログラムであって、前記睡眠スコアの大きさに応じて前記育児アドバイスデータベースから選択された或る育児アドバイスを、前記乳幼児の月齢または発達段階に基づいて、前記或る育児アドバイスとは異なる育児アドバイスに変更する育児アドバイス変更処理を、前記コンピューターに実行させる、ことが望ましい。
【００２０】
このようなプログラムによれば、或る月齢の乳幼児に対して不適当なアドバイスが表示されてしまうことが抑制されやすくなる。すなわち、睡眠スコアの大きさに基づいて選択された育児アドバイスの内容が幼児の実際の月齢や発達段階に照らして不適当な場合には、育児アドバイスを再選択することにより、より的確な育児アドバイスを提供することができる。
【００２１】
かかるプログラムであって、前記育児アドバイスデータベースには、複数の前記育児アドバイスは、前記睡眠スコアの大きさに応じて複数段階に区分されており、各段階にはそれぞれ基準月齢が対応付けられて記憶されており、育児アドバイス変更処理において、前記睡眠スコアの大きさに応じて前記育児アドバイスデータベースから選択された或る育児アドバイスの区分に対応付けられた前記基準月齢が、前記乳幼児の実際の月齢と所定の大きさ以上異なる場合、前記育児アドバイスデータベースのうち、前記乳幼児の実際の月齢に近い前記基準月齢が対応付けられている区分から、前記育児アドバイスを再選択する、ことが望ましい。
【００２２】
このようなプログラムによれば、乳幼児の実際の月齢に即した育児アドバイスが選択されやすくなり、不適当な育児アドバイスが表示されることをより抑制しやすくすることができる。すなわち、睡眠スコアに基づいて選択される育児アドバイスについて、乳幼児の実際の月齢を考慮して修正することにより、より的確な育児アドバイスを提供することができるようになる。
【００２３】
かかるプログラムであって、前記育児アドバイスデータベースにおいて、複数段階に区分された前記育児アドバイスは、前記基準月齢の大きさに応じてさらに複数段階に区分されている、ことが望ましい。
【００２４】
このようなプログラムによれば、睡眠スコアに応じて選択された区分のうち、乳幼児の実際の基準月齢により近い区分に設定された育児アドバイスが優先して選択されるようになる。これにより、より精度の高い育児アドバイスを提供することができる。
【００２５】
かかるプログラムであって、前記育児アドバイスは、外遊びに関する育児アドバイスを含み、前記外遊びに関する育児アドバイスは、前記睡眠スコアが所定値以上の場合にのみ表示される、ことが望ましい。
【００２６】
このようなプログラムによれば、現実に即していない育児アドバイスが表示されることが抑制され、育児トラブルを生じにくくすることができる。例えば、睡眠スコアが所定値未満の乳幼児は睡眠の発達程度が十分でなく、外で遊べるほど大きく成長していない可能性が高いため、そのような幼い乳幼児に対しては、外遊びのような不適当な育児アドバイスが表示されないようにすることで、ケガや事故の発生を抑制することができる。
【００２７】
かかるプログラムであって、前記育児アドバイスは、排泄に関する育児アドバイスを含み、前記排泄に関する育児アドバイスと共に、前記排泄に関する育児アドバイスと関連するおむつの情報が表示される、ことが望ましい。
【００２８】
このようなプログラムによれば、育児アドバイスと共に、当該育児アドバイスを実践する際に必要な物（例えば、おむつ）についての情報を同時に育児者に提供することができるため、より利便性の高い育児支援を行うことができる。
【００２９】
また、所定期間内において乳幼児が睡眠を開始した時刻と前記睡眠から覚醒した時刻とを含む睡眠データの入力を受け付ける睡眠データ受け付け工程と、受け付けた前記睡眠データに基づいて、前記乳幼児の睡眠の発達の程度を示す睡眠スコアを算出する睡眠スコア算出工程と、乳幼児の育児に関する育児アドバイスが複数種類記憶された育児アドバイスデータベースを参照して、前記睡眠スコアに対応した前記育児アドバイスを表示する育児アドバイス表示工程と、を有する、育児支援方法が明らかとなる。
【００３０】
このような育児支援方法によれば、乳幼児の実際の睡眠パターンに応じて算出された睡眠スコアに基づいて、育児者に対して育児支援（育児アドバイス）が提供される。したがって、従来の、月齢に基づいて設定された画一的な育児アドバイスと比較して、個々の乳幼児の睡眠の発達段階に応じて、的確な育児アドバイスを提供することができる。
【００３１】
＝＝＝実施形態＝＝＝
＜育児支援システムの構成＞
図１は、本実施形態にかかる育児支援システム１を説明する図である。育児支援システム１は、ユーザー（以下、「育児者」とも呼ぶ）に対して、育児に関すアドバイス等を提供するものである。育児支援システム１は、端末（コンピューター）１０と、センサー装置（アクチグラフ）２０と、を含んで構成される。端末１０とセンサー装置２０との通信は、無線または有線によりリアルタイムで行うことができる。但し、本実施形態において端末１０は、必ずしもセンサー装置２０と通信可能に接続されている必要は無く、プログラムをダウンロードしてインストールすることにより、端末１０単体で育児支援システム１を構成することも可能である。
（端末１０）
端末１０は、センサー装置２０から出力された情報や、ユーザー（育児者や端末１０の操作者）からの入力操作に基づく情報の入力を受け付けて各種の処理を行い、その結果を表示部１４に表示させる。端末１０は、例えばスマートフォンやタブレット端末である。本実施形態の端末１０は、ダウンロードしたプログラムを実行することで育児支援に関する各種の処理（後述）を実行する。
【００３２】
図２は、端末１０の機能上の構成を示すブロック図である。本実施形態の端末１０は、制御部１１、記憶部１２、入力部１３、表示部１４、及び通信部１５を有している。
【００３３】
制御部１１は、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。また、制御部１１は、睡眠データ受け付け処理部１１１と、睡眠データ表示処理部１１２と、睡眠スコア算出処理部１１３と、育児アドバイス選択処理部１１４と、育児アドバイス表示処理部１１５と、育児アドバイス変更処理部１１６と、個人情報入力受け付け処理部１１７とを有している。各部における具体的な処理動作については後で説明する。
【００３４】
記憶部１２は、プログラム等が記憶される読み取り専用の記憶領域であるＲＯＭ（Read Only Memory）と、制御部１１による演算処理のワーク領域として使用される書き換え可能な記憶領域であるＲＡＭ（Random Access Memory）とを有しており、例えば、フラッシュメモリやハードディスク等の不揮発性記憶装置によって実現される。本実施形態における記憶部１２は、育児アドバイスデータベース１２１を有し、該育児アドバイスデータベース１２１には育児アドバイスに関する各種の情報が格納されている。
【００３５】
入力部１３は、端末１０を使用するユーザー（育児者）が乳幼児の睡眠データ等の各種データを入力するものであり、例えば、タッチパネルのタップ操作により実現される。
表示部１４は、制御部１１からの指令に基づいて各種の情報を表示する画面であり、例えば、液晶ディスプレイ（ＬＣＤ：Liquid Crystal Display）等によって実現される。
通信部１５は、センサー装置２０と通信を行い、信号を受信する受信部としての機能を有している。
【００３６】
（センサー装置２０）
センサー装置２０は、乳幼児の手首や足首に装着され、乳幼児から取得される各種情報を端末１０に出力するための装置である。本実施形態において、「乳幼児」とは、小学校に就学する前の子供をいい、例えば、５歳（月齢６０ヶ月）未満の児をいう。図１では、センサー装置２０が乳幼児の手首に装着された例を示す。センサー装置２０は、「乳幼児用センサー装置」の一例である。
【００３７】
本実施形態において、センサー装置２０は、加速度センサーを備えた腕時計型のセンサーユニットであり、例えば公知のアクチグラフを使用することができる。アクチグラフは、測定対象者の手首や足首等に巻き付けておくことで測定対象者（乳幼児）の活動量（体動量）を長期間連続して測定することが可能である。測定された活動量の時系列変化を分析することによって乳幼児が睡眠しているのか覚醒しているのかについて判定を行い、睡眠開始時刻や覚醒時刻を客観的に測定することができる。
【００３８】
＜育児支援方法＞
育児支援システム１を用いた育児支援方法として、育児者に対して的確な育児アドバイスを行う方法について説明する。本実施形態の育児アドバイスは、端末１０の育児支援プログラム（以下、「プログラム」ともいう。）を用いて行われる。
【００３９】
はじめに、ユーザー（育児者）は端末１０において初期設定を行う。プログラムを端末１０で初めて起動させると、個人情報入力受け付け処理部１１７は、個人情報入力表示画面（不図示）を表示部１４に表示させて、乳幼児に関する個人情報の入力を受け付ける。育児者は、端末１０の入力部１３を介して、個人情報として少なくとも乳幼児の生年月日、及び性別を入力する。さらに、乳幼児の名前やその他の情報を入力するようにしても良い。個人情報入力受け付け処理部１１７は個人情報の入力を受け付けると、受け付けた個人情報を記憶部１２に記憶させる。なお、入力した個人情報は、後から変更・修正可能にしておくと良い。
【００４０】
初期設定を終了すると、育児支援プログラムによる育児支援（アドバイス）動作を開始することが可能となる。図３は、本実施形態にかかる育児支援（アドバイス）動作の処理手順を示すフロー図である。
【００４１】
育児支援動作が開始されると、先ず、睡眠データ受け付け処理部１１１は、所定期間内における乳幼児の睡眠データの入力を受け付ける睡眠データ受け付け処理を行う（Ｓ１０１）。「睡眠データ」は、所定期間内において乳幼児が睡眠を開始した時刻と睡眠から覚醒した時刻とを含むデータである。所定期間は乳幼児の睡眠と覚醒のリズムを評価するための期間であり、少なくとも１日（２４時間）、望ましくは３日（７２時間）以上の期間である。所定期間は、予め設定されていても良いし、育児者の都合によって期間の設定を自在に変更できるようにしても良い。例えば、睡眠データの入力を毎日行うことにより、期間が自動的に延長されていくのであっても良い。乳幼児の睡眠時間やタイミングは日によって大きく異なる場合があるため、所定期間をなるべく長く（例えば１週間）設けることにより、日による誤差が小さくなり、乳幼児の実際の睡眠・覚醒リズムに即した睡眠データを取得しやすくなる。
【００４２】
本実施形態では、乳幼児の睡眠開始時刻と覚醒時刻とがセンサー装置２０によって自動的に測定可能であり、無線や有線を用いた通信手段を介して端末１０に入力（送信）され、睡眠データ受け付け処理部１１１によって睡眠データとして受け付けられる。センサー装置２０を用いて、自動的に測定を行うことにより、育児者の手間をかけずに正確な睡眠データを取得することができる。
【００４３】
一方、センサー装置２０を用いずに、育児者が手動で睡眠データを端末１０に入力するようにしても良い。例えば、睡眠データ受け付け処理（Ｓ１０１）を実行する際に、端末１０とセンサー装置２０とが互いに接続されていなかった場合、睡眠データ受け付け処理部１１１は、睡眠データ入力画面３１０を表示部１４に表示させ、育児者に睡眠データの入力を行うように促す。図４は、睡眠データ入力画面３１０の一例を表す図である。睡眠データ入力画面３１０は、睡眠開始時刻入力部３１１と、覚醒時刻入力部３１２と、データ登録部３１３とを有する。育児者は、睡眠開始時刻入力部３１１に、乳幼児が睡眠を開始した日付と時刻とを入力する。同様に、覚醒時刻入力部３１２に、乳幼児が睡眠から目覚めた日付と時刻とを入力する。そして入力が完了したらデータ登録部３１３に表示された登録ボタンを押して（タップして）睡眠データを登録する。所定期間中にこの入力動作を繰り返すことにより、センサー装置２０を用いること無く乳幼児の睡眠データを取得することができる。なお、睡眠開始時刻の入力と、覚醒時刻の入力とが独立に行われるのであっても良い。例えば、乳幼児が睡眠を開始した時点で睡眠開始時刻を入力し登録する。その後、乳幼児が睡眠から覚めた時点で覚醒時刻を入力して登録するようにしても良い。
【００４４】
続いて、睡眠データ表示処理部１１２は、Ｓ１０１にて受け付けた睡眠データをグラフ化して視覚的に表示する睡眠データ表示処理を行う（Ｓ１０２）。図５は、睡眠データをグラフ化した睡眠データ表示画面３２０の一例を表す図である。睡眠データ表示画面３２０では、上述した「所定期間」を表す軸上で、乳幼児が睡眠している時間帯が黒帯で表示される。乳幼児が１日のうちどの時間帯にどれだけ睡眠しているかについて視覚的に確認できるようになることで、育児者は、乳幼児の睡眠の発達の度合いを客観的に把握しやすくなる。例えば、昼寝時間がどの程度長くなると、夜間に目覚めやすくなったり夜泣きや寝ぐずりが生じやすくなったりする等、育児中の睡眠に関する問題を理解しやすくなる。
【００４５】
続いて、睡眠スコア算出処理部１１３は、Ｓ１０１にて受け付けた睡眠データに基づいて、乳幼児の睡眠の発達の程度を示す睡眠スコアを算出する睡眠スコア算出処理を行う（Ｓ１０３）。睡眠スコアの算出方法としては、一例として、Jenni OG, Devoer T, Achermann P (2006) Development of the 24-h rest-activity pattern in human infants. Infant Behav Dev 29に開示された方法を用いることができる。例えば、最初に入力された２４時間分の睡眠データ（体動量データ）から得られる乳幼児の睡眠・覚醒パターンを表すピリオドグラムを解析し、当該ピリオドグラムの振幅を基に、２４時間の概日リズムの強さを睡眠スコアとして算出する。また、睡眠データの入力が３日間以上行われた場合には、直近の３日分の睡眠データを用いて睡眠スコアが算出されるようにしても良いし、所定期間中の平均値として睡眠スコアが算出されるようにしても良い。
【００４６】
睡眠スコア算出処理において算出された睡眠スコアは、乳幼児の睡眠・覚醒のリズムが規則的か不規則化を表す指標となる。すなわち、睡眠スコアは、乳幼児の睡眠・覚醒リズムが整っている度合いを定量化することにより、乳幼児の睡眠の発達の程度を図る指標となる。一般的に、人間は、１日（２４時間）のうち夜間に就寝し、昼に覚醒するという一定のリズムで生活を行っており、そのような規則正しいリズムの睡眠パターンであれば、睡眠スコアが高くなる。逆に、睡眠パターンが乱れると睡眠スコアが低くなる。乳幼児の場合、頻繁に寝ぐずりを生じて夜間にまとまった睡眠時間が十分取れなかったり、日中に寝ている時間が長すぎたりすると睡眠スコアが低くなり、夜間に覚醒する時間が少なくなって、その分日中に起きている時間が長くなると睡眠スコアが高くなる。
【００４７】
本実施形態では、睡眠スコアが０〜１０の値として算出される。乳幼児の月齢が低いときには睡眠の発達の程度が不十分であるため睡眠スコアが低くなりやすい。そして、成長と共に月齢が高くなるのに応じて睡眠の発達の程度が高くなると、睡眠スコアが高くなりやすいという傾向がある。
【００４８】
続いて、育児アドバイス表示処理部１１５は、Ｓ１０３で算出された睡眠スコアに対応した育児アドバイスを表示する育児アドバイス表示処理を行う（Ｓ１０４）。図６は、本実施形態の育児アドバイス表示処理（Ｓ１０４）において行われる各種処理について説明するフロー図である。
【００４９】
第１実施形態の育児アドバイス表示処理では、先ず、育児アドバイス選択処理部１１４が、記憶部１２の育児アドバイスデータベース１２１に記憶されている複数種類の育児アドバイスの中から、育児スコアに基づいて所定の育児アドバイスを選択する（Ｓ１４１）。
【００５０】
ここで、育児アドバイスデータベース１２１について説明する。図７は、育児アドバイスデータベース１２１のデータ構造例を示す図である。育児アドバイスデータベース１２１には、乳幼児の育児に関する種々のアドバイスが記憶されている。育児アドバイスの種類としては、「環境」、「睡眠」、「食事」、「排泄」、「運動」、「遊び」に関するもの等が設定されている。例えば、「環境」に関する育児アドバイスでは、夜間と日中で部屋の明るさや騒音の大きさを切り替えるといった切り口で育児者に対する提言を行う。また、「睡眠」に関する育児アドバイスでは、規則正しく心身を休めること、「食事」に関する育児アドバイスでは、規則正しく栄養を摂取すること、「排泄」に関する育児アドバイスでは、規則正しくおむつを交換したりトイレへ誘導したりすることを切り口とした提言を行う。「遊び」に関する育児アドバイスは、乳幼児の認知機能への働きかけを目的とし、「運動」に関する育児アドバイスは、乳幼児の身体機能への働きかけを目的とした提言を行う。このよう複数の切り口で育児アドバイスを行うことにより、育児経験の少ない育児者でも安心して育児を行いやすくなる。もちろん、上述の６種類以外の切り口に基づいた育児アドバイスが記憶されていても良い。
【００５１】
本実施形態では、これらを切り口としたアドバイスが睡眠スコアの大きさに応じて５段階に区分されている。図７の例では、睡眠スコアが０以上３未満である場合を第１段階、睡眠スコアが３以上４未満である場合を第２段階、睡眠スコアが４以上５未満である場合を第３段階、睡眠スコアが４以上５未満である場合を第３段階、睡眠スコアが５以上６未満である場合を第４段階、睡眠スコアが６以上１０以下である場合を第５段階として区分し、区分された段階ごとに複数種類の育児アドバイスが設定されている。そして、各段階には、上述の６種類の育児アドバイスのうち少なくとも１種類以上のアドバイスが記憶されている。
【００５２】
育児アドバイス選択処理部１１４は、育児アドバイスデータベース１２１を参照し、睡眠スコア算出処理（Ｓ１０３）で算出された睡眠スコアに基づいて、その区分に設定された育児アドバイスを選択する。例えば、算出された睡眠スコアが３．７である場合には、図７の第２段階に設定されている複数の育児アドバイスが選択される。睡眠スコアの大きさに応じて複数の育児アドバイスを区分しておくことで、乳幼児の睡眠の発達の段階に応じた育児アドバイスを過不足無く選択しやすくなる。特に、図７に示される育児アドバイスデータベース１２１では、睡眠スコアの大きさが３〜６の間で３段階に細かく区分されていることにより、乳幼児の個々の睡眠発達の程度に応じて最適な育児アドバイスを提供することができる。
【００５３】
なお、図７に示される育児アドバイスデータベース１２１には、第１〜第５段階の各区分に応じて、それぞれ基準月齢が対応付けて設定されている。この基準月齢の活用方法については後で説明する。
【００５４】
次いで、育児アドバイス表示処理部１１５は、Ｓ１４１で選択された１以上の育児アドバイスを、育児者に対する育児アドバイスとして決定し（Ｓ１４２）、決定された育児アドバイスを表示部１４に表示させる（Ｓ１４３）。
【００５５】
図８は、端末１０の表示部１４に表示された育児アドバイス表示画面３３０の一例を表す図である。同図８では、乳幼児の睡眠スコアが３．７であった場合に表示される画面の例を表している。育児アドバイス表示画面３３０は、育児アドバイス表示部３３１と、睡眠データ表示部３３２と関連情報表示部３３３とを有する。
【００５６】
育児アドバイス表示部３３１にはＳ１４１で選択された育児アドバイスが表示されている。なお、表示対処となる育児アドバイスが多い場合には、育児アドバイス表示部３３１をスクロールさせることで複数の育児アドバイスを表示できるようにしても良い。育児者は、育児アドバイス表示部３３１に表示された育児アドバイスを確認することで、自分がどのような育児行動をするべきなのかを客観的に知ることができ、安心して育児を行うことができる。
【００５７】
睡眠データ表示部３３２には、上述した睡眠データ表示画面３２０（図５参照）と同様の睡眠データに関するグラフが表示される。育児者は、育児アドバイス表示部３３１に表示された育児アドバイスと共に睡眠データ（グラフ）を視認することにより、育児アドバイスの内容をより理解しやすくなる。例えば、運動に関する育児アドバイスとして「散歩を日課にする」が表示されていた場合には、睡眠データ（グラフ）を参照することで、日中のどの時間帯に乳幼児を散歩させるべきかについて判断しやすくなる。また、「昼夜逆転した場合は、日中の運動、散歩、関わり遊びの量をチェックし調整する」という育児アドバイスが表示されていた場合には、睡眠データ（グラフ）を参照することで、乳幼児の睡眠パターンが実際にどの程度昼夜逆転しているのかを一見して認識することが可能となるため、運動や散歩の調整について計画しやすくなる。
【００５８】
関連情報表示部３３３には、育児アドバイス表示部３３１に表示された育児アドバイスに関連する育児に有用な情報が表示される。例えば、育児アドバイス表示部３３１に「排泄」に関する育児アドバイスが表示されている場合、お勧めするおむつの製品情報や、当該おむつを紹介するホームページのＵＲＬが関連情報表示部３３３に表示される。育児者は、育児アドバイスを受けるとともに、当該育児アドバイスを実践する際に必要な物（例えば、おむつや粉ミルク等）についての情報を同時に取得することができるため、より利便性の高い育児支援を受けることができる。また、育児における育児者のストレスを軽減することができる。
【００５９】
このように、本実施形態の育児支援システムでは、乳幼児の実際の睡眠パターンに応じて睡眠スコアが算出され、算出された睡眠スコアに基づいて育児アドバイスが表示される。したがって、従来の、月齢に基づいて設定された画一的な育児アドバイスと比較して、個々の乳幼児の睡眠の発達段階に応じて、より的確な育児アドバイスを提供することができる。
【００６０】
また、複数の育児アドバイスが睡眠スコアに応じて段階的に設定されているため、より現実に即した育児アドバイスを提供可能となる。例えば、「遊び」に関する育児アドバイスのうち「外で遊ぶ」ことについての育児アドバイスは、睡眠スコアが５以上（４段階以上）の場合にのみ表示される（図７参照）。睡眠スコアが５未満の乳幼児は、睡眠の発達程度が十分でなく、外で遊べるほど大きく成長していない可能性が高い。そのような幼い乳幼児を外で遊ばせるとケガや事故を生じるおそれがあるが、仮に睡眠スコア５未満の乳幼児に対して「外で遊ぶ」ことについてのアドバイスが表示された場合、育児経験の少ない育児者は当該育児アドバイスをそのまま実行してしまう可能性があり、危険である。そこで、「外で遊ぶ」は睡眠スコアが比較的高い段階（４段階以上）における育児アドバイスとして設定されている。
【００６１】
また、「遊び」以外にも「食事」や「運動」等、他の育児アドバイスも睡眠スコアの段階に応じて設定されている。例えば、「食事」に関する育児アドバイスでは、睡眠スコアが５未満（３段階以下）までは、離乳食についてのアドバイスが設定されており、睡眠スコアが６位以上（５段階以上）ではおやつについてのアドバイスが設定されている。このように、睡眠スコアの段階に応じて適当な育児アドバイスが設定されていることにより、現実に即していない育児アドバイスが表示されることが抑制され、育児トラブルを生じにくくすることができる。
【００６２】
＜育児アドバイス表示処理の変形例＞
図３の育児アドバイス表示処理（Ｓ１０４）は、以下のように変形することも可能である。本変形例では、乳幼児の「睡眠スコア」に加えて「月齢」のデータを加味して育児アドバイスが決定され、表示される。図９は、育児アドバイス表示処理（Ｓ１０４）の変形例において行われる各種処理について説明するフロー図である。
【００６３】
図９に示されるように、本変形例では先ず、育児アドバイス選択処理部１１によって、記憶部１２の育児アドバイスデータベース１２１に記憶されている複数種類の育児アドバイスの中から、育児スコアに基づいて所定の育児アドバイスが選択される（Ｓ２４１）。育児アドバイスの選択は、図６のＳ１４１で説明した処理と同様である。すなわち育児アドバイスデータベース１２１（図７参照）に５段階に区分されて記憶されている複数の育児アドバイスの中から、Ｓ１０３において算出された睡眠スコアに応じた所定の育児アドバイスが選択される。
【００６４】
次いで、育児アドバイス変更処理部１１６は、Ｓ２４１において選択された育児アドバイスが設定されている段階（図７においては１〜５段階の区分）にそれぞれ対応付けられた基準月齢（図７参照）と、初期設定において登録された乳幼児の実際の月齢とを比較して、基準月齢と乳幼児の実際の月齢との間に所定値以上の乖離が無いか判定を行う（Ｓ２４２）。
【００６５】
育児アドバイスデータベース１２１の第１〜第５段階にそれぞれ対応付けられている基準月齢は、その段階に設定されている育児アドバイスの適用対象として想定される乳幼児の平均的な月齢を表すものである。言い換えると、育児アドバイスデータベース１２１に記録されている各々の育児アドバイスは、当該育児アドバイスにそれぞれ対応付けられた基準月齢に達した乳幼児を対象として設定されている。そのため、育児アドバイスに対応付けられている基準月齢と、乳幼児の実際の月齢とが大きく乖離している場合、その月齢の乳幼児に対して不適当なアドバイスが表示されてしまうおそれがある。
【００６６】
例えば、月齢３ヶ月の乳幼児の睡眠スコアに基づいて、第４段階の「外遊びをしましょう」という育児アドバイスが選択されたとする。しかし、月齢３ヶ月の乳幼児は一般的にまだ歩行ができる状態ではないため、「外遊びをしましょう」という育児アドバイスは不適当である。そこで、Ｓ２４２の処理では、基準月齢と乳幼児の実際の月齢とが所定値以上（例えば３ヶ月以上）乖離している場合には、Ｓ２４１において選択された育児アドバイスを不適当なアドバイスと判定する。
【００６７】
選択された育児アドバイスが不適当と判定された場合（Ｓ２４２がＹｅｓ）、育児アドバイス変更処理部１１６は、育児アドバイスデータベース１２１の中から新たな育児アドバイスの選択を行う（Ｓ２４３）。すなわち、Ｓ２４１において選択された育児アドバイスを異なる育児アドバイスに変更する処理を行う。育児アドバイスを変更する方法の一例としては、睡眠スコアに応じて選択された区分に対応付けられている基準月齢の最小値が実際の月齢よりも３ヶ月以上高い場合に、１段階低い区分にシフトして、該１段階低い区分に設定された育児アドバイスを新たな育児アドバイスとして選択する方法がある。例えば、月齢８ヶ月の乳幼児の睡眠スコアが５．２と算出された場合、Ｓ２４１の処理において育児アドバイスデータベース１２１の第４段階に設定されている育児アドバイスが選択される。しかし、第４段階に対応付けられている基準月齢は１２〜３６ヶ月であり、基準月齢の最小値（１２ヶ月）と乳幼児の実際の月齢（８ヶ月）との間には３ヶ月以上の乖離がある。そこで、第４段階よりも１段階低い第３段階にシフトして、第３段階に設定されている育児アドバイスが再選択される。
【００６８】
逆に、睡眠スコアに応じて選択された区分に対応付けられている基準月齢が実際の月齢よりも３ヶ月以上低い場合には、１段階高い区分にシフトして、該１段階高い区分に設定された育児アドバイスを新たな育児アドバイスとして選択するようにしても良い。
【００６９】
このように、乳幼児の実際の月齢と、育児アドバイスデータベース１２１に対応付けられた基準月齢とを比較して、所定以上の差（上述の例では３ヶ月）が生じた場合には育児アドバイスの再選択が行われる。これにより、乳幼児の実際の月齢により即した育児アドバイスが選択されやすくなるため、不適当な育児アドバイスが表示されることを抑制することができる。つまり、睡眠スコアに基づいて選択される育児アドバイスについて、乳幼児の実際の月齢を考慮して修正することにより、より的確な育児アドバイスを提供することができるようになる。
【００７０】
また、図７に示される育児アドバイスデータベース１２１では、複数種類の育児アドバイスが、睡眠スコアに応じて５段階に区分されて記憶されているが、同じ区分の中でさらに基準月齢に応じて育児アドバイスが区分されている場合がある。例えば、図７において、第２段階に対応付けられている基準月齢は３〜６ヶ月であるが、この第２段階の中でさらに基準月齢が３，４ヶ月の場合と、基準月齢が５，６ヶ月の場合とに区分され、それぞれの区分に一部異なる育児アドバイスが設定されている。
【００７１】
そこで、育児アドバイス変更処理部１１６は、睡眠スコアに応じて選択された区分のうち、乳幼児の実際の基準月齢に近い方の区分に設定された育児アドバイスを優先して選択するようにしても良い。例えば、月齢３ヶ月の乳幼児において睡眠スコアが３．７と算出された場合、育児アドバイスデータベース１２１の第２段階（基準月齢が３〜６ヶ月）に設定された育児アドバイスが選択されるが、このとき、乳幼児の実際の月齢により近い区分（３，４ヶ月）に設定された育児アドバイスが優先して選択される。このようにすれば、より精度の高い育児アドバイスを提供することができる。
【００７２】
また、育児アドバイスの変更処理を行う際に、乳幼児の「月齢」に加えて、若しくは「月齢」に代えて乳幼児の「発達段階」が参照されるようにしても良い。ここで、乳幼児の「発達段階」とは、乳幼児の運動機能や食事、知能・心理的な発達を示す度合である。例えば、運動機能に関しては「首すわり」，「寝返り」，「一人座り」，「ハイハイ」，「つかまり立ち」，「つたい歩き」，「一人歩き」等の各項目について、乳幼児が実行可能か否かに基づいて発達の度合が判断される。同様に、食事に関して「離乳食を開始した」，「自分で食べられる」等について、知能に関して「単語が話せる」，「二語文が話せる」，「バイバイなどの身振りができる」，「大人のいうことが理解できる」，「友達と一緒に遊べる」等の項目について判断される。もちろん、これ以外の項目について判断されるのであっても良い。
【００７３】
乳幼児の「発達段階」に基づいて判定を行う場合、先ず初期設定において、上述の各項目について、乳幼児が実行可能か否かについて予め個人情報の一部として登録しておく。一方、上述の各項目を基準発達段階情報として育児アドバイスデータベース１２１の各段階に対応付けて設定しておく。例えば、育児アドバイスデータベース１２１において、「首すわり」や「寝返り」は第２段階以降で可能となり、「一人座り」は第３段階以降で可能になる等と設定しておく。
【００７４】
そして、「月齢」について判定を行うＳ２４２の処理において、「発達段階」についても判定を行う（若しくＳ２４２とは別の処理としても良い）。「発達段階」の判定方法は、上述の「月齢」の判定方法と略同様である。すなわち、選択された育児アドバイスに対応付けられている基準発達段階と乳幼児の実際の発達段階とが乖離している場合には、選択された育児アドバイスが乳幼児に対する育児アドバイスとして不適当であると判定される。例えば、或る乳幼児の睡眠スコア及び月齢判定によって、第３段階に区分されている育児アドバイスが選択された場合であっても、当該乳幼児の個人情報を参照したところ、「一人座り」が未だ出来ない状態であれば、「発達段階」が第３段階に達していないと判定される。その結果、続くＳ２４３の処理において、育児アドバイスの再選択が行われる。例えば、「発達段階」が第３段階に達していないと判定されたとすると、１段階低い第２段階にシフトして、第２段階に区分されている育児アドバイスが新たな育児アドバイスとして選択される。
【００７５】
乳幼児の実際の月齢と対応させて判断が行われ、さらに発達段階についても判断が行われることにより、判断の精度をより高くすることができる。したがって、より現実に即した的確な育児アドバイスを育児者に提供することが可能になる。
【００７６】
育児アドバイスを変更（再選択）する処理（Ｓ２４３）が終了すると、Ｓ２４２の処理に戻り、再び基準月齢と乳幼児の実際の月齢との判定が行われる。その結果、月齢に所定以上の乖離があると判定された場合（Ｓ２４２がＹｅｓ）は、さらにＳ２４３の処理が繰り返される。一方、基準月齢と乳幼児の実際の月齢とが所定値よりも小さいと判定された場合（Ｓ２４２がＮｏ）、育児アドバイス表示処理部１１５は、Ｓ２４２で適当と判定された育児アドバイスを、育児者に対する育児アドバイスとして決定し（Ｓ２４４）、決定された育児アドバイスを表示部１４に表示させる（Ｓ２４５）。
【００７７】
このように本変形例によれば、睡眠スコアに基づく育児アドバイスの選択を基本としつつ、乳幼児の実際の月齢や発達段階を参酌して修正することにより、より精度の高い育児アドバイスを育児者に提供することが可能となる。
【００７８】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱すること無く、変更や改良され得るとともに、本発明にはその等価物が含まれるのは言うまでも無い。例えば、以下に示すような変形が可能である。
【００７９】
上述の実施形態では、育児アドバイスを端末１０に備えられた画面（表示部１４）に表示することとしたが、端末１０にスピーカーを備えて音声や音楽、光等で報知することとしても良い。これにより、育児者は、端末１０を常に見ていなくても、各報知の情報を知ることができる。また、画面表示と共に音声や音楽等を表示するようにしても良い。
【００８０】
また、端末１０の表示部１４とは異なる画面に育児アドバイスを表示するようにしても良い。例えば端末１０と通信可能に接続されたパソコンのモニター等に育児アドバイスや睡眠データのグラフが表示されるようにしても良い。パソコンのモニター等の大型の画面を用いることにより、過去数日間の情報を並べて表示させたり、睡眠データのグラフを拡大して表示させたりすることが行いやすくなり、育児支援システム１の利便性をより高めることができる。
【００８１】
また、センサー装置２０（センサーユニット）と端末１０との通信は、適宜用いることができる。無線パーソナルエリアネットワーク（ＷＰＡＮ）や無線ローカルエリアネットワーク（ＷＬＡＮ）のようなローカルネットワークで直接通信したり、インターネットのような無線広域ネットワーク（ＷＷＡＮ）を用いて通信したりすることとしても良い。センサー装置２０（センサーユニット）とサーバーとをネットワークを介して通信することとして、サーバーが各処理及びデータ管理を行い、端末１０を表示画面として用いることとしても良い。このとき、サーバーと端末１０とを合わせてコンピューターとして扱うことができる。これにより、情報量が多くなっても、迅速な処理を可能とする。
【００８２】
また、上記の実施形態は、プログラムが前述した各種の処理をコンピューター又はマイクロプロセッサに実行させることにより実現可能である。この場合、全ての処理をプログラムとして準備していても良いし、一部の処理をハードウェアに処理させ残りの処理をプログラムとして準備していても良い。
【００８３】
また、実行可能なプログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【符号の説明】
【００８４】
１  育児支援システム、
１０  端末（コンピューター）、
１１  制御部、
１１１  睡眠データ受け付け処理部、１１２  睡眠データ表示処理部、
１１３  睡眠スコア算出処理部、１１４  育児アドバイス選択処理部、
１１５  育児アドバイス表示処理部、１１６  育児アドバイス変更処理部、
１１７  個人情報入力受け付け処理部、
１２  記憶部、
１２１  育児アドバイスデータベース、
１３  入力部、
１４  表示部、
１５  通信部、
２０  センサー装置（センサーユニット、アクチグラフ）、
３１０  睡眠データ入力画面、
３１１  睡眠開始時刻入力部、３１２  覚醒時刻入力部、３１３  データ登録部、
３２０  睡眠データ表示画面、
３３０  育児アドバイス表示画面、
３３１  育児アドバイス表示部、３３２  睡眠データ表示部、
３３３  関連情報表示部
【図１】
2019010417.tif 000003
【図２】
2019010417.tif 000004
【図３】
2019010417.tif 000005
【図４】
2019010417.tif 000006
【図５】
2019010417.tif 000007
【図６】
2019010417.tif 000008
【図７】
2019010417.tif 000009
【図８】
2019010417.tif 000010
【図９】
2019010417.tif 000011